(57)【要約】【課題】  液晶シャッター等の可変透光部材によりメーター表示部を覆った構造を有しつつも、当該可変透光部材がメーター外観意匠の形成にも積極的に寄与し、かつ、可変透光部材の制御状態に応じてメーター使用時（視認時）における外観意匠の変更を可能とした車両用メーターユニットを提供する。【解決手段】  車両用メーターユニット１００においては、メーター本体５１をライトアップする１又は複数の演出用光源１３，１４と、運転席からみて正面側からメーター本体５１を覆う可変透光部材２とを含む意匠演出部を設ける。そして、メーター読み取りを行なう際のメーター視認意匠形態が互いに異なるものとなるよう、意匠演出部に対し、少なくとも可変透光部材２の透明度を、被指示情報の読み取りが妨げられない範囲で互いに相違させた複数の動作モードを定め、必要に応じて該意匠演出部の動作モードを変更できるようにする。【選択図】    図４Ａ
2009145166.tif 000002
【特許請求の範囲】
【請求項１】
車両の運転席に対向配置される車両用メーターユニットであって、
前記車両上にて取得した被指示情報をメーター形態にて直読可能となるよう動作するメーター本体と、
前記メーター本体をライトアップする１又は複数の演出用光源と、前記運転席からみて正面側から前記メーター本体を覆うとともに、該メーター本体を透視する際の透明度が電気的に変更可能とされた可変透光部材とを含む意匠演出部と、
前記可変透光部材を介した前記メーター本体における前記被指示情報の読み取りがいずれも可能であって、かつ、当該読み取りを行なう際のメーター視認意匠形態が互いに異なるものとなるよう、少なくとも前記可変透光部材の透明度が互いに相違する形で前記意匠演出部の動作モードが複数定められ、それら複数の動作モードから任意のものを択一的に選択する意匠演出部動作モード選択手段と、
選択された前記動作モードに従い前記意匠演出部の動作制御を行なう意匠演出部制御手段と、
を有してなることを特徴とする車両用メーターユニット。
【請求項２】
前記メーター本体は、前記運転席から視認する際の奥行き方向への意匠凹凸形態を有した三次元意匠構造体を有するものであり、
前記意匠演出部の前記演出用光源は前記三次元意匠構造体を背後側から照明するバック光源を有する請求項１記載の車両用メーターユニット。
【請求項３】
前記奥行き方向において前記バック光源と前記三次元意匠構造体との間に透光性を有する光拡散板が配置されている請求項２記載の車両用メーターユニット。
【請求項４】
前記意匠演出部の複数の前記動作モードとして、前記可変透光部材の透明度を、前記三次元意匠構造体の前記奥行き方向への立体意匠形態が透視可能となる第一の透明度に設定する第一モードと、前記バック光源を点灯させるとともに、前記三次元意匠構造体を経て前記可変透光部材側に回り込む前記バック光源からの散乱光により、該三次元意匠構造体の少なくとも一部が前記可変透光部材上にシルエット投影されるように前記可変透光部材の透明度を前記第一の透明度よりも低い第二の透明度に設定する第二モードとが定められ、前記意匠演出部動作モード選択手段はそれら第一モードと第二モードとを切替可能に選択するものである請求項２又は請求項３に記載の車両用メーターユニット。
【請求項５】
前記三次元意匠構造体は、前記バック光源からの照明光を前記奥行き方向に透過させる光透過部を有した骨格構造体として構成されてなる請求項４記載の車両用メーターユニット。
【請求項６】
前記三次元意匠構造体の、前記可変透光部材上にシルエット投影される被投影部分が、前記可変透光部材の背面までの距離が互いに異なる複数部分にて形成され、前記距離の小さい被投影部分ほど前記可変透光部材上へのシルエット濃度が大きくなるように投影される請求項４又は請求項５に記載の車両用メーターユニット。
【請求項７】
前記第二モードにおいて、前記可変透光部材に設定される前記第二の透明度が、前記三次元意匠構造体の前記可変透光部材上にシルエット投影される部分の表面に施された表面凹凸形態が透視不能となるように定められ、前記第一モードにおいては、前記可変透光部材に設定される前記第一の透明度が、該表面凹凸形態が透視可能となるように定められている請求項４ないし請求項６のいずれか１項に記載の車両用メーターユニット。
【請求項８】
前記三次元意匠構造体は、前記可変透光部材の背面に沿って配置される主要部と、該主要部の背後に配置される副構造部とを有し、前記第一モードにおいて前記可変透光部材の前記第一の透明度が、前記三次元意匠構造体の前記主要部と前記副構造部との双方が視認可能となる透明度に設定され、前記第二モードにおいては前記可変透光部材の前記第二の透明度が、前記主要部が前記可変透光部材上にシルエット投影され、前記副構造部は該副構造部を経て前記可変透光部材側に回り込む前記バック光源からの散乱光によりシルエットが消滅するように定められている請求項６又は請求項７に記載の車両用メーターユニット。
【請求項９】
前記三次元意匠構造体は、前記可変透光部材の背面に隙間をもって対向配置される主要部を有し、かつ、該該主要部の前記可変透光部材との対向面に装飾用補助光源が設けられている請求項４ないし請求項８のいずれか１項に記載の車両用メーターユニット。
【請求項１０】
前記第二モードにおいて、前記装飾用補助光源を点灯させるとともに、前記可変透光部材に設定される前記第二の透明度が、前記装飾用補助光源の照明光が透過漏出可能となる程度に定められている請求項９記載の車両用メーターユニット。
【請求項１１】
前記装飾用補助光源が複数個設けられるとともに、前記第一モードにおいて点灯する装飾用補助光源群と、前記第二モードにおいて点灯する装飾用補助光源群とが互いに異なる組み合わせとなるように定められてなる請求項１０記載の車両用メーターユニット。
【請求項１２】
前記メーター本体は、前記可変透光部材の背面に対向配置される目盛部と、該目盛部とともに前記可変透光部材の背面に対向配置され、前記目盛部上の指示値を前記被指示情報として指し示す回転指針とを有した回転指針式アナログメーターであり、
前記三次元意匠構造体の前記主要部が、前記目盛部を含む文字盤の一部をなすとともに前記回転指針の回転周方向に配置される円弧状遮光構造部を含む請求項８ないし請求項１１のいずれか１項に記載の車両用メーターユニット。
【請求項１３】
前記メーター本体は、前記可変透光部材の背面から後方に延出する筒状に形成されるとともに前記回転指針の駆動軸を収容する指針駆動軸ケースを備え、
前記三次元意匠構造体の前記副構造部が、前記指針駆動軸ケースの周囲に複数配置されるとともに各々前端が前記主要部をなす円弧状遮光構造部の背面に結合され、後端が前記指針駆動軸ケースの外周面に結合される結合梁部材を有し、前記円弧状遮光構造部の内側にてそれら複数の結合梁部材間に形成される空隙を、前記バック光源からの照明光を前記奥行き方向に透過させる光透過部とする形で、前記円弧状遮光構造部とともに三次元骨格構造体を構成してなる請求項１２記載の車両用メーターユニット。
【請求項１４】
請求項１０記載の要件を備え、前記円弧状遮光構造部の前記可変透光部材との対向面に複数の前記装飾用補助光源が、前記回転指針に対する目盛インジケータに兼用された形で、該回転指針の回転周方向に沿って一定角度間隔にて配置されてなる請求項１３記載の車両用メーターユニット。
【請求項１５】
前記意匠演出部の前記演出用光源は、前記三次元意匠構造体を正面側から照明するフロント光源を有する請求項１ないし請求項１４のいずれか１項に記載の車両用メーターユニット。
【請求項１６】
請求項２及び請求項３に記載の要件を備え、前記第一モードにおいて前記フロント光源を点灯させる請求項１５記載の車両用メーターユニット。
【請求項１７】
前記第一モードにおいて前記フロント光源とともに前記バック光源も点灯させる請求項１６記載の車両用メーターユニット。
【請求項１８】
前記第二モードにおいて前記フロント光源を消灯させる請求項１６又は請求項１７に記載の車両用メーターユニット。
【請求項１９】
前記フロント光源が前記奥行き方向にて前記可変透光部材と前記三次元意匠構造体との間に配置される請求項１５ないし請求項１８に記載の車両用メーターユニット。
【請求項２０】
請求項８記載の要件を備え、前記フロント光源は、前記目盛部の外周縁に沿って一定角度間隔で複数個配置される請求項１９記載の車両用メーターユニット。
【請求項２１】
前記メーター本体は前記演出用光源に兼用された自発光型ディスプレイにて構成され、前記被指示情報を文字又は図形からなる情報画像キャラクタとその背景領域との一方を強発光領域、他方を弱発光領域とする形で前記自発光型ディスプレイに表示出力するものであり、
前記意匠演出部の複数の前記動作モードとして、前記可変透光部材の透明度を、前記自発光型ディスプレイの前記強発光領域と前記弱発光領域との双方が透視可能となる第一の透明度に設定する第一モードと、前記強発光領域は当該領域の表示光の透過漏出により視認可能となり、前記弱発光領域は遮光されるように前記可変透光部材の透明度を前記第一の透明度よりも低い第二の透明度に設定する第二モードとが定められ、前記意匠演出部動作モード選択手段はそれら第一モードと第二モードとを切替可能に選択するものである請求項１記載の車両用メーターユニット。
【請求項２２】
前記車両の走行状態を反映した情報である走行状態反映情報を取得する走行状態反映情報取得手段を備え、
前記意匠演出部動作モード選択手段は、取得した走行状態反映情報の内容に応じて選択するべき前記動作モードを変更する請求項１ないし請求項２１のいずれか１項に記載の車両用メーターユニット。
【請求項２３】
前記走行状態検出手段は前記走行状態反映情報として現在車速を取得するものであり、
前記意匠演出部動作モード選択手段は、前記現在車速に応じて選択するべき前記動作モードを変更する請求項２２記載の車両用メーターユニット。
【請求項２４】
前記走行状態検出手段は前記走行状態反映情報として平均燃費を取得するものであり、
前記意匠演出部動作モード選択手段は、前記平均燃費に応じて選択するべき前記動作モードを変更する請求項２２記載の車両用メーターユニット。
【発明の詳細な説明】
【技術分野】
【０００１】
この発明は、車両用メーターユニットに関する。
【背景技術】
【０００２】
【特許文献１】特開２００４−２３９６５６号公報
【０００３】
特許文献１には、メーター表示面に液晶シャッターを重ね配置し、不要な場合に液晶シャッターをＯＮ（不透明化）することにより、メーター表示部を隠蔽することができる車両用メーター装置が開示されている。その主な目的は、車両不使用時においてメーター表示内容を隠蔽することで保安性を高めることにある。
【発明の開示】
【発明が解決しようとする課題】
【０００４】
しかし、上記特許文献１の構成では、液晶シャッターはメーター表示部を隠蔽する目的でしか使用されておらず、メーター使用時（視認時）においては、当該メーターの外観意匠上形成に何ら寄与しない問題がある。
【０００５】
本発明の課題は、液晶シャッター等の可変透光部材によりメーター表示部を覆った構造を有しつつも、当該可変透光部材がメーター外観意匠の形成にも積極的に寄与し、かつ、可変透光部材の制御状態に応じてメーター使用時（視認時）における外観意匠の変更を可能とした車両用メーターユニットを提供することにある。
【課題を解決するための手段及び発明の効果】
【０００６】
本発明は、自動車等の車両の運転席に対向配置される車両用メーターユニットであって、上記の課題を解決するために、
車両上にて取得した被指示情報をメーター形態にて直読可能となるよう動作するメーター本体と、
メーター本体をライトアップする１又は複数の演出用光源と、運転席からみて正面側からメーター本体を覆うとともに、該メーター本体を透視する際の透明度が電気的に変更可能とされた可変透光部材とを含む意匠演出部と、
可変透光部材を介したメーター本体における被指示情報の読み取りがいずれも可能であって、かつ、当該読み取りを行なう際のメーター視認意匠形態が互いに異なるものとなるよう、少なくとも可変透光部材の透明度が互いに相違する形で意匠演出部の動作モードが複数定められ、それら複数の動作モードから任意のものを択一的に選択する意匠演出部動作モード選択手段と、
選択された動作モードに従い意匠演出部の動作制御を行なう意匠演出部制御手段と、
を有してなることを特徴とする。
【０００７】
上記本発明の車両用メーターユニットにおいては、メーター本体をライトアップする１又は複数の演出用光源と、運転席からみて正面側からメーター本体を覆う可変透光部材とを含む意匠演出部を設ける。そして、メーター読み取りを行なう際のメーター視認意匠形態が互いに異なるものとなるよう、意匠演出部に対し、少なくとも可変透光部材の透明度を、被指示情報の読み取りが妨げられない範囲で互いに相違させた複数の動作モードを定め、必要に応じて該意匠演出部の動作モードを変更できるようにした。これにより、可変透光部材の透明度に応じてメーター本体の外観意匠を、メーター読み取り可能な状態で変更することが可能となる。すなわち、可変透光部材によりメーター表示部を覆った構造を有しつつも、当該可変透光部材がメーター外観意匠の形成にも積極的に寄与し、かつ、可変透光部材の制御状態に応じてメーター使用時（視認時）における外観意匠の変更が可能な車両用メーターユニットが実現する。
【０００８】
メーター本体は、運転席から視認する際の奥行き方向への意匠凹凸形態を有した三次元意匠構造体を有するものとできる。意匠演出部の演出用光源は、三次元意匠構造体を背後側から照明するバック光源を有するものとして構成できる。バック光源による三次元意匠構造体の背後からの照明形態と、可変透光部材の透明度変更とを組み合わせることにより、メーター視認時の外観意匠を顕著に変化させることができる。この場合、奥行き方向においてバック光源と三次元意匠構造体との間に透光性を有する光拡散板を配置しておくと、可変透光部材を介して視認されるバック光源からの照明光を拡散均一化でき、三次元意匠構造体ないしその背景に一様なライトアップ効果を付与することができる。
【０００９】
この場合、意匠演出部の複数の動作モードとしては、次のような２つのモードを設定することが可能である。
・第一モード：可変透光部材の透明度を、三次元意匠構造体の奥行き方向への立体意匠形態が透視可能となる第一の透明度に設定する。
・第二モード：バック光源を点灯させるとともに、三次元意匠構造体を経て可変透光部材側に回り込むバック光源からの散乱光により、該三次元意匠構造体の少なくとも一部が可変透光部材上にシルエット投影されるよう、可変透光部材の透明度を第一の透明度よりも低い第二の透明度に設定する。
意匠演出部動作モード選択手段はそれら第一モードと第二モードとを切替可能に選択するものとなる。
【００１０】
第一モードでは可変透光部材の透明度が高められ、該可変透光部材越しに三次元意匠構造体を、奥行き方向の立体意匠形態も含めて丸ごと視認できるので、ゴージャスで立体感のあるメーター意匠となる。他方、第二モードでは可変透光部材の透明度が下がり、その半透明形態の可変透光部材をスクリーンとする形で三次元意匠構造体の外形がバック光源によりシルエット投影され、その背景は、半透明形態の可変透光部材による光散乱により奥行き方向の情報が隠されてベタ塗りに近い外観形態となる。すなわち、モノトーンな背景に三次元意匠構造体（の少なくとも一部）を影絵投影することにより、平面的で簡素なメーター意匠となる。この第二モードは、立体的な第一モードとの外観上の差が、ほとんど別のメーターといってよいほどに相違し、インパクトの大きい意匠変更効果をもたらすことができる。この場合、三次元意匠構造体は、バック光源からの照明光を奥行き方向に透過させる光透過部を有した骨格構造体として構成しておくと、透かし影絵状に入り組んだシルエット外形が得られ、意匠効果をさらに高めることができる。
【００１１】
三次元意匠構造体の、可変透光部材上にシルエット投影される被投影部分は、可変透光部材の背面までの距離が互いに異なる複数部分にて形成することができる。このようにすると、距離の小さい被投影部分ほど可変透光部材上へのシルエット濃度が大きくなるように投影されるので、第二モードにおける意匠効果を高めることができ、意匠上のバリエーションも増やすことができる。
【００１２】
第二モードにおいて可変透光部材に設定される第二の透明度は、三次元意匠構造体の可変透光部材上にシルエット投影される部分の表面に施された表面凹凸形態が透視不能となるように定め、第一モードにおいては、可変透光部材に設定される第一の透明度が、該表面凹凸形態が透視可能となるように定めることができる。三次元意匠構造体の表面凹凸形態により、第一モードでの立体衣装効果はさらに顕著なものとなる。これに対し、バック光源によるシルエット投影を利用する第二モードにおいては、その表面凹凸形態が多少透けて見えるようになっていてもよいが、これをほぼ透視不能とすることで、第二モードでのシルエット投影の平面的な印象をより高めることができ、第一モードとの間の意匠対比効果を一層顕著なものとすることができる。
【００１３】
次に、三次元意匠構造体は、可変透光部材の背面に沿って配置される主要部と、該主要部の背後に配置される副構造部とを有するものとして構成できる。この場合、第一モードにおいて可変透光部材の第一の透明度を、三次元意匠構造体の主要部と副構造部との双方が視認可能となる透明度に設定し、第二モードにおいては可変透光部材の第二の透明度を、上記主要部が可変透光部材上にシルエット投影され、副構造部は該副構造部を経て可変透光部材側に回り込むバック光源からの散乱光によりシルエットが消滅するように定めることができる。つまり、可変透光部材の透明度が高い第一モードでは、三次元意匠構造体の主要部を、その背後の副構造部とともに立体的に視認できるのに対し、可変透光部材が半透明化する第二モードでは、背後の副構造部のシルエットがバック光源の光散乱によりかき消され、副構造部が意匠形成要素から脱落して主要部シルエットのみによる外観となるので、第一モードと第二モードとの意匠対比効果がさらに高められる。
【００１４】
三次元意匠構造体の主要部は、可変透光部材の背面に隙間をもって対向配置することができる。そして、該該主要部の可変透光部材との対向面には装飾用補助光源を設けることができる。これにより、メーター外観に装飾用補助光源の発光による強調ポイントが付加され、よりインパクトのあるメーター意匠が実現する。
【００１５】
装飾用補助光源は、第一モードと第二モードとの一方で点灯となり、他方で非点灯となるように動作制御することで、装飾用補助光源の点灯の有無に由来したモード間の意匠対比効果をもたらすことができる。
【００１６】
また、第二モードにおいて、装飾用補助光源を点灯させるとともに、可変透光部材に設定される第二の透明度が、装飾用補助光源の照明光が透過漏出可能となる程度に定めることができる。第二モードでは可変透光部材が半透明化するので、装飾用補助光源からの照明光に拡散効果が加わって幻想的な意匠効果を得ることができる。特に、第一モードと第二モードとの双方で装飾用補助光源を点灯とした場合は、透明な可変透光部材を介して見るのと半透明化した可変透光部材を介して見るのとで、装飾用補助光源の点灯視認状態に大きな相違が生じ、モード間の意匠対比効果を高めることができる。また、装飾用補助光源を複数個設ける場合は、第一モードにおいて点灯する装飾用補助光源群と、第二モードにおいて点灯する装飾用補助光源群とが互いに異なる組み合わせとなるように定めておくと、第一モードと第二モードとの外観意匠上の差異をさらに大きくすることができる。
【００１７】
メーター本体は、可変透光部材の背面に対向配置される目盛部と、該目盛部とともに可変透光部材の背面に対向配置され、目盛部上の指示値を被指示情報として指し示す回転指針とを有した回転指針式アナログメーターとすることができる。そして、三次元意匠構造体の主要部は、目盛部を含む文字盤の一部をなすとともに回転指針の回転周方向に配置される円弧状遮光構造部を含むものとすることができる。回転指針式アナログメーターの文字盤の一部を、主要部をなす円弧状遮光構造部として三次元意匠構造体に取り込むことで、常時視認対象となる文字盤部分を、第一モードと第二モードとの双方で問題なく視認可能とすることができる。
【００１８】
この場合、メーター本体は、具体的には可変透光部材の背面から後方に延出する筒状に形成されるとともに回転指針の駆動軸を収容する指針駆動軸ケースを備えたものとして構成できる。三次元意匠構造体の前述の副構造部は、指針駆動軸ケースの周囲に複数配置されるとともに各々前端が主要部をなす円弧状遮光構造部の背面に結合され、後端が指針駆動軸ケースの外周面に結合される結合梁部材を有するものとして構成できる。そして、円弧状遮光構造部の内側にてそれら複数の結合梁部材間に形成される空隙を、バック光源からの照明光を奥行き方向に透過させる光透過部とする形で、円弧状遮光構造部とともに三次元骨格構造体を構成することができる。文字盤の一部をなす円弧状遮光構造部は、第一モードでは背後の結合梁部材とともに三次元骨格構造体として視認され、立体スカルプチャー状の斬新な文字盤意匠を実現できる。一方、第二モードでは、結合梁部材のシルエットが前述の光散乱効果により消失し、円弧状遮光構造部が作る文字盤部分だけがシルエットとなって浮かび上がるように視認され、シンプルで見やすい文字盤意匠を実現できる。この場合、前述の装飾用補助光源を複数、円弧状遮光構造部の可変透光部材との対向面に、回転指針の回転周方向に沿って一定角度間隔にて配置し、これを回転指針に対する目盛インジケータに兼用させることで、文字盤部分の意匠性が高められるだけでなく、装飾用補助光源の点灯により目盛位置が強調されるので、回転指針指示値の視認性も良好となる。
【００１９】
次に、意匠演出部の演出用光源は、三次元意匠構造体を正面側から照明するフロント光源を有するものとして構成できる。フロント光源により三次元意匠構造体を正面側から照明することで、該三次元意匠構造体のライトアップ効果が高められる。特に、可変透光部材の透明度が高くなる第一モードにおいてフロント光源を点灯させることで、三次元意匠構造体の奥行き方向における立体構造の識別性を大幅に高めることができる。この場合、当該第一モードにおいてフロント光源とともにバック光源も点灯させることで、第一モードにおける三次元意匠構造体のライトアップ効果をさらに高めることができる。なお、バック光源による三次元意匠構造体の濃く明瞭なシルエット投影像を得る観点においては、バック光源による三次元意匠構造体のシルエットを投影する第二モードにおいて、フロント光源を消灯することが望ましい。
【００２０】
また、フロント光源は、その照明光に対する可変透光部材の反射干渉等を防止する観点においては、奥行き方向にて可変透光部材と三次元意匠構造体との間に配置することが望ましい。
【００２１】
また、フロント光源は、三次元意匠構造体の主要部を正面から見た場合、その主要部を隠蔽しない位置関係で配置することが、主要部の外観意匠を高める上で望ましい。例えば、前述の回転指針式アナログメーターに適用する場合、目盛部の視認を妨げず、かつ、周方向に均一に照明するために、フロント光源を、目盛部の外周縁に沿って一定角度間隔で複数個配置することが望ましいといえる。
【００２２】
次に、メーター本体は、演出用光源に兼用された自発光型ディスプレイにて構成することもでき、被指示情報を文字又は図形からなる情報画像キャラクタとその背景領域との一方を強発光領域、他方を弱発光領域とする形で自発光型ディスプレイに表示出力することができる。この場合、意匠演出部の複数の動作モードとして、可変透光部材の透明度を、自発光型ディスプレイの強発光領域と弱発光領域との双方が透視可能となる第一の透明度に設定する第一モードと、強発光領域は当該領域の表示光の透過漏出により視認可能となり、弱発光領域は遮光されるように可変透光部材の透明度を第一の透明度よりも低い第二の透明度に設定する第二モードとを定めることができる。意匠演出部動作モード選択手段はそれら第一モードと第二モードとを切替可能に選択するものとできる。
【００２３】
自発光型ディスプレイにて文字又は図形からなる情報画像キャラクタを、その背景領域とのピクセル設定輝度の差に基づいて表示する場合、第一モードでは弱発光領域は自発光型ディスプレイのピクセル発光色を反映したものとして視認されるが、第二モードでは半透明化した可変透光部材により隠蔽される。しかし、強発光領域はいずれのモードにおいてもピクセル発光色が透過視認可能である。その結果、弱発光領域の視認色は、第一モードと第二モードとの間で、ピクセル発光色と第二モードでの可変透光部材の外観色との差を反映した、異なる外観を有したものとして視認される。これにより、第一モードと第二モードとの意匠対比効果を高めることができる。
【００２４】
次に、本発明においては、車両の走行状態を反映した情報である走行状態反映情報を取得する走行状態反映情報取得手段を設けることができる。意匠演出部動作モード選択手段は、取得した走行状態反映情報の内容に応じて選択するべき動作モードを変更するものとして構成することができる。このようにすると、車両の走行状態に応じてメーターユニットの動作モードが変更され、走行状態に対応した外観意匠を呈するようになるので、該メーターユニットの外観意匠変化から走行状態の相違を読み取ることができ、メーター指示値を判読せずとも走行状態変化を感覚的に認識できるようになる。
【００２５】
例えば、走行状態検出手段は走行状態反映情報として現在車速を取得するものとでき、意匠演出部動作モード選択手段は、現在車速に応じて選択するべき動作モードを変更するように構成できる。車速に応じてメーターユニットの動作モードが変更され、外観意匠が変化するので、速度指示値を判読せずとも現在の車速がどの程度であるのかを感覚的に認識できるようになる。特に、無意識のうちに速度が上がりすぎていた場合には、メーターユニットの外観意匠変化により注意を喚起することができる。また、走行状態検出手段は走行状態反映情報として平均燃費を取得するものとでき、意匠演出部動作モード選択手段は、平均燃費に応じて選択するべき動作モードを変更するように構成できる。この構成によると、メーター意匠の外観変化から平均燃費が良好であるのか悪化したのかを感覚的に認識させることができる。
【発明を実施するための最良の形態】
【００２６】
以下、本発明の実施の形態を、図面を参照して説明する。
図１は、本発明の車両用メーターユニットの分解斜視図である。該車両用メーターユニット１００は自動車（車両）の運転席に対向配置されるものであり、３つのメーター５０，６１（Ｒ），６１（Ｌ）を、各メーター指示面が運転席との対向側を向くように支持パネル５８上に取り付け、該支持パネル５８とともにメータケース４に収容したものである。このうち、中央に現在車速を示す速度計５０が配置され、その左右に燃料残量計１７（Ｒ）とハイブリッド車の総出力及び回生状態を示すパワーメータ６１（Ｌ）とがそれぞれ配置されている。
【００２７】
いずれの、メーター５０，６１（Ｒ），６１（Ｌ）も、車両上にて取得した被指示情報をメーター形態にて直読可能となるよう動作するメーター本体を有する。速度計５０はメインメータを構成するもので、メーター本体５１は、可変透光部材２の背面に対向配置される目盛部５と、該目盛部５とともに可変透光部材２の背面に対向配置され、目盛部５上の指示値を被指示情報として指し示す回転指針８とを有した回転指針式アナログメーターとして構成されている。他方、燃料残量計６１（Ｒ）とパワーメータ６１（Ｌ）とはサブメーターを構成するもので、そのメーター本体は、図６に示すように、文字又は図形からなる情報画像キャラクタ５６を、その背景領域５７とのピクセル設定輝度の差に基づいて表示する自発光型ディスプレイ１７（Ｒ），１７（Ｌ）（本実施形態では無機ＥＬディスプレイ）からなる。
【００２８】
これら３つのメーター本体５１、１７（Ｒ），１７（Ｌ）を一括して覆う形で、各メーター本体５１、１７（Ｒ），１７（Ｌ）を透視する際の透明度が電気的に変更可能とされた可変透光部材２が配置されている。また、可変透光部材２の前面側はアクリル樹脂等の透明材料からなるメータフード１にて覆われている。本実施形態では可変透光部材２を周知の液晶シャッター（以下、「液晶シャッター２」とも記す）で構成しているが、エレクトロクロミック素子パネルなど、他の種類のデバイスで構成してもよい。また、液晶シャッターを用いる場合、電圧非印加時に透明度が最も高くなり、閾レベル以上の電圧印加により最小透明度（擦りガラス状の半透明状態）を最小値に飽和させる、二値的な透明度制御を行なってもよいし、印加電圧に応じて透明度をより多段階（あるいは連続無段階）に変化させる制御を行なってもよい。
【００２９】
図３は速度計５０の側面断面を示すもので、メーター本体５１をライトアップする演出用光源１３，１４が設けられている。また、燃料残量計６１（Ｒ）とパワーメータ６１（Ｌ）のメーター本体を構成する自発光型ディスプレイ１７（Ｒ），１７（Ｌ）は、それ自体が演出用光源に兼用されるものである。これら演出用光源が、前述の可変透光部材２とともに意匠演出部を構成する。なお、このほか、装飾用補助光源１６（Ａ），１６（Ｂ），２０も意匠演出部を構成するものであり、さらにこれ以外の構成要素が意匠演出部に付加されていてもよい。
【００３０】
そして、これらの意匠演出部には、可変透光部材２を介した各メーター本体５１，１７（Ｒ），１７（Ｌ）における被指示情報の読み取りがいずれも可能であって、かつ、当該読み取りを行なう際のメーター視認意匠形態が互いに異なるものとなるよう、少なくとも可変透光部材２の透明度が互いに相違する形で複数の動作モードが定められている。それら複数の動作モードは、後述する図７のメーターＥＣＵ２００が、予め定められた制御プログラムを実行することにより、任意のものが択一的に選択され（意匠演出部動作モード選択手段）、その選択された動作モードに従い意匠演出部の動作制御が実施される（意匠演出部制御手段）。
【００３１】
以下、速度計５０の構成についてさらに詳しく説明する。図３に示すように、速度計５０のメーター本体５１は、運転席から視認する際の奥行き方向への意匠凹凸形態を有した三次元意匠構造体５２を有する。意匠演出部の演出用光源１３，１４は、三次元意匠構造体５２を背後側から照明するバック光源１３を有する。バック光源１３は、例えば複数の発光ダイオードを平面的に配列したダイオードアレイとして構成されている。なお、メーター視認方向における奥行き方向にてバック光源１３と三次元意匠構造体５２との間には、透光性を有する光拡散板１２が配置されている。光拡散板１２は、例えば透光性の樹脂マトリックス中に、該樹脂マトリックスとは屈折率の異なる材質の光散乱粒子（例えばガラス粒子）を分散させた複合材料にて構成される。ただし、ＥＬ素子等、発光輝度の面内分布がより良好な面発光デバイスにてバック光源１３を構成することも可能であり、この場合は光拡散板を省略することも可能である。
【００３２】
意匠演出部の複数の動作モードとして、本実施形態では、次のような２つのモードが設定されている。
・第一モード：可変透光部材２の透明度を、三次元意匠構造体５２の奥行き方向への立体意匠形態が透視可能となる第一の透明度（ここでは、液晶シャッターに設定可能な最大透明度）に設定する。図４Ａ及び図４Ｂは、該第一モードでのメーター外観を示すものであり、図４Ａが外観撮影画像を、図４Ｂがそれに対応する斜視図を示す。
・第二モード：バック光源１３を点灯させるとともに、三次元意匠構造体５２を経て可変透光部材２側に回り込むバック光源１３からの散乱光により、該三次元意匠構造体５２の少なくとも一部が可変透光部材２上にシルエット投影されるよう、可変透光部材２の透明度を第一の透明度よりも低い第二の透明度（ここでは、液晶シャッターに設定可能な最小透明度）に設定する。図５Ａ及び図５Ｂは、該第二モードでのメーター外観を示すものであり、図５Ａが外観撮影画像を、図５Ｂがそれに対応する斜視図を示す。
【００３３】
また、意匠演出部の演出用光源１３，１４は、三次元意匠構造体５２を正面側から照明するフロント光源１４を有する。該フロント光源１４は、奥行き方向にて可変透光部材２と三次元意匠構造体５２との間に配置されている。該フロント光源１４は第一モードにおいて点灯するものであり、三次元意匠構造体５２の奥行き方向における立体構造の識別性を大幅に高められる。また、本実施形態にあっては、第一モードにおいてフロント光源１４とともにバック光源１３も点灯させる。他方、バック光源１３による三次元意匠構造体５２のシルエットを投影する第二モードにあっては、フロント光源１４を消灯することにより、バック光源１３による三次元意匠構造体５２の濃く明瞭なシルエット投影像が得られるようになっている。
【００３４】
なお、可変透光部材２の透明度を上記２モードの中間に設定したり、さらには演出用光源１３，１４の点灯形態を変更することにより、意匠演出部のさらに別の動作モードを設定可能としてもよい。
【００３５】
次に、図３に示すように、三次元意匠構造体５２の、可変透光部材２上にシルエット投影される被投影部分５，６，７は、可変透光部材２の背面までの距離が互いに異なる複数部分を含む。図４Ａ，Ｂに示すように、距離の小さい被投影部分５，６は，距離の大きい被投影部分７よりも可変透光部材２上へのシルエット濃度が大きくなるように投影される。
【００３６】
また、図５Ａ，Ｂに示すように、第二モードにおいて可変透光部材２に設定される第二の透明度は、三次元意匠構造体５２の可変透光部材２上にシルエット投影される部分の表面に施された表面凹凸形態（特に、第二リング部６における後述の立体凹凸装飾：図２参照）が透視不能となるように定められている。他方、図４Ａ，Ｂに示すように、第一モードにおいては、可変透光部材２に設定される第一の透明度は、上記の表面凹凸形態が透視可能となるように定められる。
【００３７】
次に、図３に示すように、三次元意匠構造体５２は、可変透光部材２の背面に沿って配置される主要部５〜９と、該主要部５〜９の背後に配置される副構造部１０，１１とを有する。この場合、図４Ａ，Ｂに示す第一モードにおいては、可変透光部材２の第一の透明度が、三次元意匠構造体５２の主要部５〜９と副構造部１０，１１との双方が視認可能となる透明度に設定されている。また、図５Ａ，Ｂに示す第二モードにおいては、可変透光部材２の第二の透明度が、上記主要部５〜９が可変透光部材２上にシルエット投影され、副構造部１０，１１は該副構造部１０，１１を経て可変透光部材２側に回り込むバック光源１３からの散乱光によりシルエットが消滅するように定めてある。
【００３８】
図２に示すように、三次元意匠構造体５２の主要部５〜９は、具体的には、目盛部５を含む文字盤５４の一部をなすとともに回転指針８の回転周方向に配置される円弧状遮光構造部５，６，７を含むものである。円弧状遮光構造部５，６，７は、文字盤５４の外周縁部を形成するとともに指針回転半径方向にて内向きに突出する目盛突起部５ｄが所定の一定角度間隔で形成される目盛部をなす第一リング部５と、該第一リング部５の内側に配置される第二リング部６と、該第二リング部６の内側に該第二リング部６よりも奥行き方向に引っ込んで位置する第三リング部７とを有する。第二リング部６の可変透光部材２との対向面には、周方向の溝状の立体凹凸装飾が施されている。
【００３９】
図３に示すように、メーター本体５１は、具体的には可変透光部材２の背面から後方に延出する筒状に形成されるとともに回転指針８の駆動軸を収容する指針駆動軸ケース４１を備える。該指針駆動軸ケース４１は該第三リング部７の内側に配置される。三次元意匠構造体５２の前述の副構造部１０，１１は、指針駆動軸ケース４１の周囲に複数配置されるとともに各々前端が主要部をなす第二及び第三リング部（円弧状遮光構造部）６，７の背面に結合され、後端が指針駆動軸ケース４１の外周面に結合される結合梁部材１０，１１である。
【００４０】
回転指針８の駆動軸の後端は指針駆動軸ケース４１の後端開口から後方に延出し、バック光源１３の背後にて該駆動軸の後端に駆動モータ１５が取り付けられている。また、第二リング部６と第三リング部７とは、結合梁部材１０，１１によりそれぞれ個別に指針駆動軸ケース４１に結合されている。第二リング部６を結合する結合梁部材１０と、第三リング部７を結合する結合梁部材１１とは各々２本ずつであり、指針駆動軸ケース４１の周囲にて互いに９０゜ずれた位置関係で配置されている。
【００４１】
第二及び第三リング部６，７の内側にてそれら複数の結合梁部材１０，１１間に形成される空隙は、バック光源１３からの照明光を奥行き方向に透過させる光透過部５３となっており、三次元骨格構造体が構成されている。また、図４Ａ，Ｂに示すように、第二モードにおいて第三リング部７が形成するシルエットは、可変透光部材２までの距離が第二リング部６よりも大きい分だけ、散乱光により濃度が小さくなっている。
【００４２】
また、図３に示すように、副構造部をなす結合梁部材１０，１１は、主要部をなす第一〜第三リング部５〜７よりも背後に位置するので、図４Ａ，Ｂに示す第二モードでは、それらのシルエットがバック光源１３の光散乱によりかき消され、意匠形成要素から脱落する。その結果、第二モードでは文字盤５４は、主要部（第一〜第三リング部５〜７、指標数字９）のシルエットのみによる外観となる。
【００４３】
図２に戻り、第一リング部５と第二リング部６との間に位置する円環状の空隙には、これを埋める形で透明背景部材５５が配置され、それら第一リング部５及び第二リング部６に外周縁及び内周縁それぞれ結合されている。また、該透明背景部材５５の表面には、遮光体からなる指標数字９が一定角度間隔で配置される。指標数字９をなす遮光体は立体数字部材からなり、例えばフィルムインサート成型等により透明背景部材５５と一体化されている。図４Ａ，Ｂに示すように、第二モードでは、透明背景部材５５を透過するバック光源１３からの照明光により、指標数字９も回転指針８とともにまた、回転指針８は第二リング部６の前面に沿って、その外側の指標数字９を先端部が指し示しながら回転移動する。回転指針８は文字盤５４よりも可変透光部材２に近い分、文字盤５４の構成要素（第一〜第三リング部５〜８及び指標数字９）よりも、可変透光部材２に投影されるシルエットが濃くなっている。
【００４４】
図３に示すように、三次元意匠構造体５２の主要部をなす第二リング部６及び第三リング部７は、可変透光部材２の背面に隙間をもって対向配置されている。そして、図２に示すように、それら第二リング部６及び第三リング部７の可変透光部材２との対向面には、各々複数の発光ダイオードからなる装飾用補助光源１６（Ａ），１６（Ｂ）がそれぞれ取り付けられている。これら装飾用補助光源１６（Ａ），１６（Ｂ）は、第二リング部６及び第三リング部７（円弧状遮光構造部）の可変透光部材２との対向面に、回転指針８の回転周方向に沿って一定角度間隔にて配置され、回転指針８に対する目盛インジケータに兼用されている。
【００４５】
このうち、第二リング部６に設けられた装飾用補助光源１６（Ａ）は、図４Ａ，Ｂに示すように、第一モードにおいては点灯となり、図５Ａ，Ｂに示すように、第二モードにおいては非点灯となるように動作制御される。また、第三リング部７の装飾用補助光源１６（Ｂ）は、第一モードと第二モードの双方において点灯となるように動作制御される。そして、第二モードにおいて可変透光部材２に設定される第二の透明度は、装飾用補助光源１６（Ｂ）の照明光が透過漏出可能となる程度に定めされている。該第二モードでは可変透光部材２が半透明化するので、装飾用補助光源１６（Ｂ）からの照明光に拡散効果が加わって幻想的な意匠効果が達成される。他方、図４Ａ，Ｂに示すように、装飾用補助光源１６（Ｂ）は、第一モードでも点灯となるが、可変透光部材２が透明なので照明光の拡散効果が生じず、図５Ａ，Ｂの第二モードとの間での意匠対比効果が高められている。
【００４６】
また、図４Ａ，Ｂの第一モードでは、第一リング部５の装飾用補助光源１６（Ａ）と第二リング部６の装飾用補助光源１６（Ｂ）とが双方ともに点灯しているが、図５Ａ，Ｂの第二モードでは、第一リング部５の装飾用補助光源１６（Ａ）が消灯し第二リング部６の装飾用補助光源１６（Ｂ）が点灯する。つまり、第一モードにおいて点灯する装飾用補助光源１６（Ａ），１６（Ｂ）と、第二モードにおいて点灯する装飾用補助光源１６（Ｂ）とが互いに異なる組み合わせとなるように定められている。この点も、両モード間での意匠対比効果の向上に寄与している。
【００４７】
また、フロント光源１４は、三次元意匠構造体５２の主要部５〜９を正面から見た場合、その主要部５〜９を隠蔽しない位置関係にて配置されている。具体的には図４Ａ，Ｂに示すように、フロント光源１４は複数の発光ダイオードからなり、支持パネル５８のメーター露出孔の内周縁背面にて、目盛部５の外周縁に沿って一定角度間隔で、具体的には指標数字９に対応する角度位置に個別に配置され、第一モードにおいて、文字盤５４の外周縁部を間接照明形態で照らし出すようになっている。
【００４８】
図４Ａ，Ｂに示すように、第一モードでは可変透光部材２の透明度が高められ、該可変透光部材２越しに三次元意匠構造体５２を、奥行き方向の立体意匠形態も含めて丸ごと視認できるので、ゴージャスで立体感のあるメーター意匠となる。具体的には、文字盤５４の一部をなす第二及び第三リング部材（円弧状遮光構造部）６，７が、背後の結合梁部材１０，１１とともに三次元骨格構造体として視認され（図２も参照）、立体スカルプチャー状の斬新な文字盤意匠が実現されている。
【００４９】
他方、図５Ａ，Ｂに示すように、第二モードでは可変透光部材２の透明度が下がり、これをスクリーンとする形で三次元意匠構造体５２の外形がバック光源１３によりシルエット投影される。また、該シルエットの背景は、半透明形態の可変透光部材２による光散乱により奥行き方向の情報が隠されてベタ塗りに近い外観形態となる。すなわち、モノトーンな背景に三次元意匠構造体５２の一部、具体的には文字盤５４を構成する第一〜第三リング５〜７を影絵投影することにより、平面的で簡素なメーター意匠となる。該第二モードでは、結合梁部材１０，１１のシルエットが前述の光散乱効果により消失し、円弧状遮光構造部６，７が作る文字盤５４部分だけがシルエットとなって浮かび上がるように視認され、シンプルで見やすい文字盤意匠が実現されている。このように、図５Ａ，Ｂの第二モードは、図１に示す立体的な第一モードとの外観上の差が、ほとんど別メーターといってよいほどに相違し、両モード間での切替により、同じメーターユニットでありながらインパクトの大きい意匠変更効果がもたらされる。
【００５０】
次に、燃料残量計６１（Ｒ）とパワーメータ６１（Ｌ）については、メーター本体が、可変透光部材２の背面に沿って対向する自発光型ディスプレイ１７（Ｒ），１７（Ｌ）からなる。図６に示すように、燃料残量計６１（Ｒ）については、被指示情報が、給油機を象ったシンボルマークと、燃料（ＦＵＥＬ）を示す文字及び残量値を示す数字（１５Ｌ）からなる情報画像キャラクタ５６とされ、情報画像キャラクタ５６が例えばアンバー等の発光色を有した強発光領域となっている。また、その背景領域は弱発光領域５７（具体的には消灯領域）となっており、消灯状態のディスプレイ基板素地（例えば、くすんだ緑色）により外観形成されることとなる。また、自発光型ディスプレイ１７（Ｒ）の外周縁に沿って、遮光体からなるリング状の枠部材が配置され、その可変透光部材２との対向面には、複数の発光ダイオードからなる装飾用補助光源２０（第一モード及び第二モードの双方にて点灯）が周方向に配列した形で取り付けられている。パワーメータ６１（Ｌ）についても、被指示情報が、走行中の車両を象ったシンボルマークと、パワー（ＰＷＲ）を示す文字及び出力指示値を示す数字（６０％）からなる情報画像キャラクタ５６とされている点を除き、燃料残量計６１（Ｒ）と構成は同様である。
【００５１】
可変透光部材２は、図４Ａ，Ｂの第一モードにて設定される第一の透明度では、自発光型ディスプレイ１７（Ｒ），１７（Ｌ）の強発光領域５６と弱発光領域５７との双方が透視可能となる。この場合、弱発光領域５７はディスプレイの基板素地色を反映した外観となる。一方、図５Ａ，Ｂの第二モードにて設定される第二の透明度では、強発光領域５６は当該領域の表示光の透過漏出により視認可能となり、弱発光領域５７は遮光される。強発光領域５６は第一モードと同様の発光色調（例えばアンバー等）にて視認されるが、弱発光領域５７は半透明状態の可変透光部材２の色調（例えば乳白色）を反映した外観となる。また、強発光領域５６は第一モードより輪郭が若干拡散し、かつ、色調も白味の増したものとなる。なお、第二モードにて自発光型ディスプレイ１７（Ｒ），１７（Ｌ）を消灯してしまう構成（つまり、燃料残量計６１（Ｒ）とパワーメータ６１（Ｌ）とを非表示とする構成）も可能である。
【００５２】
図７は、車両用メーターユニット１００の制御部に係る電気的構成の一例を示すブロック図である。制御部の要部をなすのはメーター表示の主要制御を司るメーターＥＣＵ２００である。メーターＥＣＵ２００は、ＣＰＵ２８１、ＲＯＭ２８２、ＲＡＭ２８３、描画ＬＳＩ及び入出力部２８０が内部バスにて接続されたマイコンを主体とするものである。ＲＯＭ２８２にはメーター駆動ソフトウェアが格納されている。入出力部２８０には、各メーター５０，６０Ｒ，６０Ｌの、すでに説明済みの電気構成要素２，１３〜２０が、個別のドライバ回路２Ｄ，１３Ｄ〜２０Ｄを介して接続されている。
【００５３】
メーターＥＣＵ２００は、ボデー系ＥＣＵ３００及びハイブリッド制御ＥＣＵ３０２とシリアル通信バス１２７により、各々通信インターフェース１２６を介してネットワーク接続されている。このうち、速度計５０に指示させる現在車速は、ボデー系ＥＣＵ３００に接続された車速センサ３０１にて取得され、ボデー系ＥＣＵ３００からメーターＥＣＵ２００へ送信される。燃料残量計６０（Ｒ）に指示させる燃料残量は、ボデー系ＥＣＵ３００に接続された燃料残量センサ３０４にて取得され、ボデー系ＥＣＵ３００からメーターＥＣＵ２００へ送信される。さらに、パワーメータ６０（Ｌ）に指示させる現在出力値はハイブリッド制御ＥＣＵ３０２にて演算取得され、メーターＥＣＵ２００へ送信される。メーターＥＣＵ２００は、上記各情報を、通信バス１２７を介して取得し、各メーター５０，６０（Ｒ），６０（Ｌ）に出力する。
【００５４】
上記の意匠演出部の第一モードと第二モード（あるいは、それ以外のさらに別のモード）との切替は、例えばスイッチ操作により手動切り替えできるように構成してもよいが、本実施形態では、現在車速に応じてモード切替がなされるようになっている。図８はこの場合に係る処理の流れの一例を示すもので、Ｓ１で現在車速Ｖｃが取得され、Ｓ２で速度基準値ＶＲ（例えば３０ｋｍ／ｈ）と比較される。Ｓ２でＶｃ＞ＶＲであれば図４Ａ，Ｂの第一モードとなる。すなわち、Ｓ３で液晶シャッター２が透明状態（開）となり、Ｓ４でフロント光源１４及び装飾用補助光源１６（Ａ），１６（Ｂ），２０を点灯する。また、Ｓ５ではバック光源１３を点灯する（ただし、括弧内に示すように消灯としてもよい）。そして、Ｓ６では、サブメーターである燃料残量計６１（Ｒ）とパワーメータ６１（Ｌ）とを表示点灯させる。
【００５５】
一方、Ｓ２でＶｃ＜ＶＲであれば図５Ａ，Ｂの第二モードとなる。すなわち、Ｓ７で液晶シャッター２半透明状態（閉）となり、Ｓ８でフロント光源１４及び装飾用補助光源１６（Ａ）を消灯する。また、Ｓ９ではバック光源１３を点灯する。そして、Ｓ１０では、サブメーターである燃料残量計６１（Ｒ）とパワーメータ６１（Ｌ）を表示点灯させる（ただし、括弧内に示すように、非表示消灯としてもよい）。
【００５６】
なお、Ｓ１の現在車速Ｖｃの取得ステップと、Ｓ２の速度基準値ＶＲとの比較判定ステップとを、図８の右上に示すように、Ｓ１’の平均燃費ηｎ（ハイブリッド制御ＥＣＵ３０２にて演算される）の取得ステップと、Ｓ２’の平均燃費基準値ηＲとの比較判定ステップと置き換えることも可能である。これにより、ηｎ＞ηＲの場合は第一モードなり、ηｎ＜ηＲの場合は第二モードとなる制御がなされる。
【図面の簡単な説明】
【００５７】
【図１】本発明の車両用メーターユニットの一実施形態に係る全体外観を示す分解斜視図。
【図２】図１の速度計のメーター本体を拡大して示す斜視図。
【図３】図２の側面断面図。
【図４Ａ】第一モードでの表示意匠形態を示す外観撮影画像。
【図５Ａ】第二モードでの表示意匠形態を示す外観撮影画像。
【図４Ｂ】図４Ａに対応する斜視図。
【図５Ｂ】図５Ａに対応する斜視図。
【図６】サブメーターの画像表示形態を示す正面図。
【図７】図１の車両用メーターユニットの電気的構成を示すブロック図。
【図８】図１の車両用メーターユニットの、モード切替処理の流れを示すフローチャート。
【符号の説明】
【００５８】
１  車両用メーターユニット
２  可変透光部材（液晶シャッター）
５〜９  主要部
５  目盛部（第一リング部）
６  第二リング部（円弧状遮光構造部）
７  第三リング部（円弧状遮光構造部）
１０，１１  結合梁部材（副構造部）
１２  光拡散板
１３，１４  演出用光源
１３  バック光源
１４  フロント光源
１６（Ａ），１６（Ｂ），２０  装飾用補助光源
１７（Ｒ），１７（Ｌ）  自発光型ディスプレイ（演出用光源、メーター本体）
４１  指針駆動軸ケース
５０  速度計
５１  メーター本体
５２  三次元意匠構造体
５３  光透過部
５４  文字盤
５６  強発光領域
５７  弱発光領域
６０（Ｒ）  燃料残量計
６０（Ｌ）  パワーメータ
２００  メーターＥＣＵ（意匠演出部動作モード選択手段、意匠演出部制御手段、走行状態反映情報取得手段）
【図３】
2009145166.tif 000003
【図４Ｂ】
2009145166.tif 000004
【図５Ｂ】
2009145166.tif 000005
【図６】
2009145166.tif 000006
【図７】
2009145166.tif 000007
【図８】
2009145166.tif 000008
【図１】
2009145166.tif 000009
【図２】
2009145166.tif 000010
【図４Ａ】
2009145166.tif 000011
【図５Ａ】
2009145166.tif 000012